(57)【要約】    【課題】  レンズ全長が短く、またレンズ有効径が小さく、全体としてレンズ重量が軽量でしかも迅速なフォーカシングが容易で全ズーム範囲及び全物体距離にわたり高い光学性能が得られるズームレンズを得ること。    【解決手段】  正の屈折力の第１レンズ群、負の屈折力の第２レンズ群、１つ以上のレンズ群を含む中間群、負の屈折力の第（Ｎ−１）レンズ群、正の屈折力の第Ｎレンズ群からなるズームレンズであって、広角端から望遠端へのズーミングに際して第１レンズ群は物体側へ移動し、第（Ｎ−１）レンズ群は、樹脂よりなるレンズを有し、フォーカシングに際して光軸方向に移動し、広角端における第Ｎレンズ群の横倍率βｎｗ、広角端におけるバックフォーカスｓｋｗ、広角端における全系の焦点距離ｆｗ、広角端におけるレンズ全長Ｄｗを各々適切に設定する。【選択図】    図１
2019028258.tif 000002
【特許請求の範囲】
【請求項１】
物体側から像側へ順に配置された、正の屈折力の第１レンズ群、負の屈折力の第２レンズ群、１つ以上のレンズ群を含む中間群、負の屈折力の第（Ｎ−１）レンズ群、正の屈折力の第Ｎレンズ群からなり、ズーミングに際して隣り合うレンズ群の間隔が変化するズームレンズであって、
前記第１レンズ群は、広角端から望遠端へのズーミングに際して物体側へ移動し、
前記第（Ｎ−１）レンズ群は、樹脂よりなるレンズを有し、フォーカシングに際して光軸方向に移動し、
広角端における前記第Ｎレンズ群の横倍率をβｎｗ、広角端におけるバックフォーカスをｓｋｗ、広角端における全系の焦点距離をｆｗ、広角端におけるレンズ全長をＤｗとするとき、
０．８＜βｎｗ＜２．０
０．５＜ｓｋｗ／ｆｗ＜４．０
２．０＜Ｄｗ／ｆｗ＜１１．０
なる条件式を満足することを特徴とするズームレンズ。
【請求項２】
前記第（Ｎ−１）レンズ群の焦点距離をｆ（ｎ−１）とするとき、
−５．０＜ｆ（ｎ−１）／ｆｗ＜−１．０
なる条件式を満足することを特徴とする請求項１に記載のズームレンズ。
【請求項３】
前記第（Ｎ−１）レンズ群の焦点距離をｆ（ｎ−１）、前記第Ｎレンズ群の焦点距離をｆｎとするとき、
−１．０＜ｆ（ｎ−１）／ｆｎ＜−０．１
なる条件式を満足することを特徴とする請求項１又は２に記載のズームレンズ。
【請求項４】
望遠端における前記第（Ｎ−１）レンズ群の横倍率をβ（ｎ−１）ｔ、望遠端における前記第Ｎレンズ群の横倍率をβｎｔとするとき、
−１０．０＜（１−β（ｎ−１）ｔ２）βｎｔ２＜−１．５
なる条件式を満足することを特徴とする請求項１乃至３のいずれか１項に記載のズームレンズ。
【請求項５】
前記第（Ｎ−１）レンズ群に含まれるレンズの材料の比重の平均値をＤａｖｇとするとき、（ここで、材料の比重はレンズに使用される材料の常温（１５℃〜２５℃）での質量とそれと同体積の圧力１０１．３２５ｋＰａ（標準気圧）のもとにおける４℃の純水の質量との比とする。）
１．０＜Ｄａｖｇ＜２．５
なる条件式を満足することを特徴とする請求項１乃至４のいずれか１項に記載のズームレンズ。
【請求項６】
前記第Ｎレンズ群の焦点距離をｆｎとするとき、
３．０＜ｆｎ／ｓｋｗ＜３０．０
なる条件式を満足することを特徴とする請求項１乃至５のいずれか１項に記載のズームレンズ。
【請求項７】
前記第１レンズ群の焦点距離をｆ１とするとき、
２．０＜ｆ１／ｆｗ＜８．０
なる条件式を満足することを特徴とする請求項１乃至６のいずれか１項に記載のズームレンズ。
【請求項８】
広角端における像面からの射出瞳位置までの距離をＰＯｗとするとき、
−４．０＜ＰＯｗ／ｆｗ＜−１．０
なる条件式を満足することを特徴とする請求項１乃至７のいずれか１項に記載のズームレンズ。
【請求項９】
前記第（Ｎ−１）レンズ群は、樹脂よりなる正レンズ、樹脂よりなる負レンズから構成されることを特徴とする請求項１乃至８のいずれか１項に記載のズームレンズ。
【請求項１０】
前記第（Ｎ−１）レンズ群に含まれる樹脂よりなる負レンズの焦点距離をｆ（ｎ−１）ｎ、該負レンズの材料の屈折率温度係数(10-6/℃)をｄｎ（ｎ−１）ｎ／ｄＴ、前記第（ｎ−１）レンズ群に含まれる樹脂よりなる正レンズの焦点距離をｆ（ｎ−１）ｐ、該正レンズの材料の屈折率温度係数(10-6/℃)をｄｎ（ｎ−１）ｐ／ｄＴとするとき、
−５０．０＜（１／ｆ（ｎ−１）ｎ×ｄｎ（ｎ−１）ｎ／ｄＴ）／（１／ｆ（ｎ−１）ｐ×ｄｎ（ｎ−１）ｐ／ｄＴ）＜−１．０
なる条件式を満足することを特徴とする請求項１乃至９のいずれか１項に記載のズームレンズ。
【請求項１１】
前記中間群は、物体側から像側へ順に配置された、正の屈折力の第３レンズ群、負の屈折力の第４レンズ群、正の屈折力の第５レンズ群より構成されることを特徴とする請求項１乃至１０のいずれか１項に記載のズームレンズ。
【請求項１２】
前記中間群は、物体側から像側へ順に配置された、正の屈折力の第３レンズ群、正の屈折力の第４レンズ群より構成されることを特徴とする請求項１乃至１０のいずれか１項に記載のズームレンズ。
【請求項１３】
請求項１乃至１２のいずれか１項に記載のズームレンズと、該ズームレンズによって形成される像を受光する固体撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラなどの撮像装置の撮像光学系として好適なものである。
【背景技術】
【０００２】
近年、撮像装置は高機能化されている。それに伴い撮像装置に用いる撮像光学系としては、高いズーム比（変倍比）で全ズーム範囲にわたり高い光学性能を有し、しかもレンズ全長の短いズームレンズであることが要求されている。また、迅速なフォーカシング（合焦）を行うために、フォーカスレンズ群は小型軽量であり、フォーカシングに際して像劣化や像揺れがないこと等が要求されている。
【０００３】
これらの要求を満足するズームレンズとして、最も物体側に正の屈折力のレンズ群を配置したポジティブリード型で物体側の第１レンズ群以外のレンズ群でフォーカシングを行うリアーフォーカス方式のズームレンズが知られている（特許文献１乃至３）。
【０００４】
特許文献１では、物体側から像側へ順に、正、負、正、負、負、正の屈折力の第１レンズ群乃至第６レンズ群から成り、ズーミングに際して隣り合うレンズ群の間隔が変化するズームレンズを開示している。特許文献１では第４レンズ群を移動させることによりフォーカシングを行うズーム比４程度のズームレンズを開示している。
【０００５】
特許文献２では、物体側から像側へ順に、正、負、正、負、正、負の屈折力の第１レンズ群乃至第６レンズ群からなり、ズーミングに際して隣り合うレンズ群の間隔が変化するズームレンズを開示している。特許文献２ではフォーカシングに際して第４レンズ群を移動させている。  特許文献３では、物体側から像側へ順に、正、負、正、負、正の屈折力の第１レンズ群乃至第５レンズ群よりなり、ズーミングに際して隣り合うレンズ群の間隔が変化するズームレンズを開示している。特許文献３ではフォーカシングに際して第２レンズ群の一部を移動させている。
【先行技術文献】
【特許文献】
【０００６】
【特許文献１】特開２０１２−４７８１４号公報
【特許文献２】特開２００６−２５１４６２号公報
【特許文献３】特開２０１０−３２７０２号公報
【発明の概要】
【発明が解決しようとする課題】
【０００７】
撮像装置に用いるズームレンズには、レンズ全長が短く、レンズ系全体が小型であること、高ズーム比で全ズーム範囲にわたり高い光学性能を有すること、フォーカシングに際して収差変動が少ないこと等が強く要望されている。またバックフォーカスが適切な長さであること、レンズ鏡筒に組み込んだとき、レンズ鏡筒径が小さくなるレンズ構成であること等が要望されている。
【０００８】
ポジティブリード型のズームレンズにおいて、これらの要求を満足させるには、ズームレンズを構成する各要素を適切に設定することが重要となってくる。例えばズームタイプ（レンズ群の数や各レンズ群の屈折力の符号）や、レンズ鏡筒径の大きさに強く影響するフォーカス用のレンズ群の選定等を適切に設定することが重要になってくる。
【０００９】
特許文献１のズームレンズは、広角端から望遠端へのズーミングに際し、第４レンズ群と第５レンズ群の間隔を減少させ、ズーム比を大きくしつつズーミングに伴う収差変動を軽減している。このズームレンズにおいてズーム比を大きくすると、望遠端において第４レンズ群と第５レンズ群の間隔が小さくなる傾向がある。望遠端において第４レンズ群と第５レンズ群の間隔が小さくなると、無限遠から近距離へのフォーカシングに際して第４レンズ群を像側へ移動させる空間が少なくなり、広い物体距離でフォーカシングを行うことが困難になってくる。
【００１０】
特許文献２のズームレンズは、ミラーレスタイプのズームレンズであり、レンズ全長は比較的短い。しかしながら、負の屈折力の最終レンズ群と最終レンズ群から１つ物体側の正の屈折力のレンズ群の屈折力がそれぞれ強すぎるため、全ズーム範囲にわたり高い光学性能を得るのが難しい。特許文献３のズームレンズは、バックフォーカスが長くレンズ全長を短縮するのが難しくなる傾向がある。
【００１１】
本発明は、レンズ全長が短く、レンズ有効径が小さく、全体としてレンズ重量が軽量で、迅速なフォーカシングが容易で全ズーム範囲及び全物体距離にわたり高い光学性能が得られるズームレンズ及びそれを有する撮像装置を提供することを目的とする。
【課題を解決するための手段】
【００１２】
本発明のズームレンズは、物体側から像側へ順に配置された、正の屈折力の第１レンズ群、負の屈折力の第２レンズ群、１つ以上のレンズ群を含む中間群、負の屈折力の第（Ｎ−１）レンズ群、正の屈折力の第Ｎレンズ群からなり、ズーミングに際して隣り合うレンズ群の間隔が変化するズームレンズであって、
前記第１レンズ群は、広角端から望遠端へのズーミングに際して物体側へ移動し、
前記第（Ｎ−１）レンズ群は、樹脂よりなるレンズを有し、フォーカシングに際して光軸方向に移動し、
広角端における前記第Ｎレンズ群の横倍率をβｎｗ、広角端におけるバックフォーカスをｓｋｗ、広角端における全系の焦点距離をｆｗ、広角端におけるレンズ全長をＤｗとするとき、
０．８＜βｎｗ＜２．０
０．５＜ｓｋｗ／ｆｗ＜４．０
２．０＜Ｄｗ／ｆｗ＜１１．０
なる条件式を満足することを特徴としている。
【発明の効果】
【００１３】
本発明によれば、レンズ全長が短く、レンズ有効径が小さく、全体としてレンズ重量が軽量で、迅速なフォーカシングが容易で全ズーム範囲及び全物体距離にわたり高い光学性能が得られるズームレンズが得られる。
【図面の簡単な説明】
【００１４】
【図１】本発明の実施例１の広角端におけるレンズ断面図
【図２】（Ａ）、（Ｂ）、（Ｃ）  本発明の実施例１の広角端、中間のズーム位置、望遠端における収差図
【図３】本発明の実施例２の広角端におけるレンズ断面図
【図４】（Ａ）、（Ｂ）、（Ｃ）  本発明の実施例２の広角端、中間のズーム位置、望遠端における収差図
【図５】本発明の実施例３の広角端におけるレンズ断面図
【図６】（Ａ）、（Ｂ）、（Ｃ）  本発明の実施例３の広角端、中間のズーム位置、望遠端における収差図
【図７】本発明の実施例４の広角端におけるレンズ断面図
【図８】（Ａ）、（Ｂ）、（Ｃ）  本発明の実施例４の広角端、中間のズーム位置、望遠端における収差図
【図９】本発明の実施例５の広角端におけるレンズ断面図
【図１０】（Ａ）、（Ｂ）、（Ｃ）  本発明の実施例５の広角端、中間のズーム位置、望遠端における収差図
【図１１】本発明の光学機器の要部概略図
【発明を実施するための形態】
【００１５】
以下に、本発明の好ましい実施の形態を、添付の図面に基づいて説明する。本発明の各実施例のズームレンズは、物体側から像側へ順に配置された、正の屈折力の第１レンズ群、負の屈折力の第２レンズ群、１つ以上のレンズ群を含む中間群、負の屈折力の第（Ｎ−１）レンズ群、正の屈折力の第Ｎレンズ群からなる。ズーミングに際して隣り合うレンズ群の間隔が変化し、第１レンズ群は、広角端から望遠端へのズーミングに際して物体側へ移動する。第（Ｎ−１）レンズ群は、樹脂よりなるレンズ（樹脂レンズ）を有し、フォーカシングに際して光軸方向に移動する。
【００１６】
図１は、本発明の実施例１の広角端におけるレンズ断面図である。図２（Ａ）、（Ｂ）、（Ｃ）はそれぞれ実施例１のズームレンズの広角端、中間のズーム位置、望遠端における縦収差図である。図３は本発明の実施例２の広角端におけるレンズ断面図である。図４（Ａ）、（Ｂ）、（Ｃ）はそれぞれ実施例２のズームレンズの広角端、中間のズーム位置、望遠端における縦収差図である。
【００１７】
図５は、本発明の実施例３の広角端におけるレンズ断面図である。図６（Ａ）、（Ｂ）、（Ｃ）はそれぞれ実施例３のズームレンズの広角端、中間のズーム位置、望遠端における縦収差図である。図７は、本発明の実施例４の広角端におけるレンズ断面図である。図８（Ａ）、（Ｂ）、（Ｃ）はそれぞれ実施例４のズームレンズの広角端、中間のズーム位置、望遠端における縦収差図である。
【００１８】
図９は、本発明の実施例５の広角端におけるレンズ断面図である。図１０（Ａ）、（Ｂ）、（Ｃ）はそれぞれ実施例５の広角端におけるズームレンズの広角端、中間のズーム位置、望遠端における縦収差図である。図１１は本発明の撮像装置の要部概略図である。
【００１９】
各実施例のズームレンズはデジタルカメラやビデオカメラ、放送用カメラ、監視用カメラなどの撮像装置に用いられるズームレンズである。尚、実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。
【００２０】
ＬＭは１つ以上のレンズ群を含む中間群である。Ｌ（Ｎ−１）は負の屈折力の第（Ｎ−１）レンズ群である。ＬＮは正の屈折力の第Ｎレンズ群である。ＳＰは開口絞りである。Ｇはフェースプレート、フィルター等のガラスブロックである。ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。矢印は広角端から望遠端へのズーミングに際しての移動軌跡を示している。
【００２１】
フォーカス（FOCUS）に関する矢印は、無限遠から近距離へのフォーカシングに際して、第（Ｎ−１）レンズ群Ｌ（Ｎ−１）が像側に移動することを示している。球面収差図において、ＦｎｏはＦナンバーである。また、実線のｄはｄ線（波長５８７．６ｎｍ）、二点鎖線のｇはｇ線（波長４３５．８ｎｍ）である。点線は正弦条件である。非点収差図で点線のΔＭはｄ線におけるメリディオナル像面、実線のΔＳはｄ線におけるサジタル像面である。歪曲収差図はｄ線について示している。倍率色収差図はｇ線について示している。ωは半画角（度）である。
【００２２】
各実施例のズームレンズは、第１レンズ群Ｌ１、第２レンズ群Ｌ２の移動により主に変倍を行っている。広角端から望遠端へのズーミングに際して、第１レンズ群Ｌ１は、物体側へ移動することで広角端における前玉有効径を小型化しつつ、高ズーム比化を図っている。
【００２３】
実施例１、２、４において中間群ＬＭは、物体側から像側へ順に配置された、正の屈折力の第３レンズ群、負の屈折力の第４レンズ群、正の屈折力の第５レンズ群より構成される。実施例３、５において、中間群ＬＭは、物体側から像側へ順に配置された、正の屈折力の第３レンズ群、正の屈折力の第４レンズ群より構成される。
【００２４】
ポジティブリード型のズームレンズにおいて、レンズ全長を短くする場合、最終のレンズ群付近に強い負の屈折力のレンズ群に続き、強い正の屈折力をもつレンズ群を配置することが有効である。また、バックフォーカスを有効に使い、レンズ全長の短縮化を図るには像側に負の屈折力のレンズ群と正の屈折力のレンズ群を順に配置することが有効である。また、最終レンズ群を正の屈折力とすると、像面への光束の入射角度を小さくすることができ、撮像素子による周辺像高の光量落ちや色付きといった、所謂シェーディングを抑制することが容易となる。
【００２５】
本発明では第（Ｎ−１）レンズ群Ｌ（Ｎ−１）の負の屈折力、第Ｎレンズ群ＬＮの正の屈折力を適切に設定することにより、フォーカスレンズ群の移動に対するピント面の移動量の比であるフォーカス敏感度を適切に設定している。これにより、フォーカスに際する移動量を軽減して、メカニカルな部材の配置の自由度を増やして、鏡筒径の小型化を図っている。
【００２６】
各実施例において広角端における第Ｎレンズ群の横倍率をβｎｗ、広角端におけるバックフォーカスをｓｋｗ、広角端における全系の焦点距離をｆｗ、広角端におけるレンズ全長をＤｗとする。このとき、
０．８＜βｎｗ＜２．０        ・・・（１）
０．５＜ｓｋｗ／ｆｗ＜４．０  ・・・（２）
２．０＜Ｄｗ／ｆｗ＜１１．０  ・・・（３）
なる条件式を満足する。
【００２７】
次に前述の各条件式の技術的意味について説明する。条件式（１）はフォーカシング用の第（Ｎ−１）レンズ群Ｌ（Ｎ−１）に適切なフォーカス敏感度を設定するために、広角端における最終の第Ｎレンズ群ＬＮの横倍率βｎｗを規定している。条件式（１）の上限を超えて横倍率βｎｗが高くなると、第（Ｎ−１）レンズ群Ｌ（Ｎ−１）のフォーカス敏感度が高くなりすぎ、フォーカシングに際してメカニカルな制御が難しくなる。
【００２８】
条件式（１）の下限を超えて横倍率βｎｗが小さくなると、第（Ｎ−１）レンズ群Ｌ（Ｎ−１）のフォーカス敏感度が低くなり、至近での光学性能が低下し、また第（Ｎ−１）レンズ群Ｌ（Ｎ−１）の光軸方向の長さが増大してくる。
【００２９】
条件式（２）は広角端におけるレンズ全長の短縮化を実現するために、広角端における最終レンズ面から像面までの長さであるバックフォーカスｓｋｗと広角端における全系の焦点距離ｆｗを規定している。ここで、バックフォーカスｓｋｗは最終レンズ面から像面までの空気換算距離である。レンズ全長は第１レンズ面から最終レンズ面までの距離にバックフォーカスを加えた値である。
【００３０】
条件式（２）の上限を超えて、バックフォーカスｓｋｗが長くなると、バックフォーカスが不必要に長くなり、広角端におけるレンズ全長が長くなってくる。或いは、焦点距離ｆｗが短くなると、前玉有効径が大きくなってくる。
【００３１】
条件式（２）の下限を超えて、バックフォーカスｓｋｗが短くなると像面への光線の入射角度の増大を抑えるために、第Ｎレンズ群ＬＮの正の屈折力を高める必要があり、そうすると光学性能が低下してくる。また、撮像素子の保護ガラスや各種フィルターを挿入する空間が少なくなってくるので良くない。或いは、焦点距離ｆｗが長くなりすぎると、広画角で高ズーム比化を図ることが難しくなってくる。
【００３２】
条件式（３）は広角端におけるレンズ全長を短縮化するために、広角端におけるレンズ全長Ｄｗ及び、広角端における全系の焦点距離ｆｗを規定している。条件式（３）の上限を超えて、レンズ全長Ｄｗが長くなると、広角端における全系の焦点距離に対してレンズ全長を短くすることが難しくなる。或いは、焦点距離ｆｗが短くなると、前玉有効径が大きくなりすぎ、全系の小型化が困難になる。
【００３３】
条件式（３）の下限を超えて、レンズ全長Ｄｗが短くなると、各レンズ群の屈折力を強める必要があり、諸収差の補正が困難になってくる。或いは、焦点距離ｆｗが長くなりすぎると、広画角で高ズーム比化を図ることが難しくなる。
【００３４】
好ましくは条件式（１）乃至（３）の数値範囲を次の如く設定するのが良い。
０．８＜βｎｗ＜１．５        ・・・（１ａ）
０．５＜ｓｋｗ／ｆｗ＜３．０  ・・・（２ａ）
３．０＜Ｄｗ／ｆｗ＜１０．０  ・・・（３ａ）
更に好ましくは条件式（１ａ）乃至（３ａ）の数値範囲を次の如く設定するのが良い。
０．８＜βｎｗ＜１．０        ・・・（１ｂ）
０．５＜ｓｋｗ／ｆｗ＜１．０  ・・・（２ｂ）
４．０＜Ｄｗ／ｆｗ＜６．０    ・・・（３ｂ）
【００３５】
以上のように、本発明によれば、ポジティブリードタイプのズームレンズにおいて、レンズ全長とレンズ径が小さく、レンズ質量が軽量で高いフォーカス性能を有するズームレンズが容易に得られる。
【００３６】
本実施例において更に好ましくは次の条件式のうち１つ以上を満足するのが良い。第（Ｎ−１）レンズ群Ｌ（Ｎ−１）の焦点距離をｆ（ｎ−１）とする。第Ｎレンズ群ＬＮの焦点距離をｆｎとする。望遠端における第（Ｎ−１）レンズ群Ｌ（Ｎ−１）の横倍率をβ（ｎ−１）ｔ、望遠端における第Ｎレンズ群ＬＮの横倍率をβｎｔとする。
【００３７】
第（Ｎ−１）レンズ群Ｌ（Ｎ−１）に含まれるレンズの材料の比重の平均値をＤａｖｇとする。ここで、材料の比重はレンズに使用される材料の常温（１５℃〜２５℃）での質量とそれと同体積の圧力１０１．３２５ｋＰａ（標準気圧）のもとにおける４℃の純水の質量との比とする。第１レンズ群Ｌ１の焦点距離をｆ１とする。広角端における像面からの射出瞳位置までの距離をＰＯｗとする。
【００３８】
第（Ｎ−１）レンズ群Ｌ（Ｎ−１）は樹脂よりなる正レンズと樹脂よりなる負レンズから構成されるとき、第（Ｎ−１）レンズ群Ｌ（Ｎ−１）に含まれる樹脂よりなる負レンズの焦点距離をｆ（ｎ−１）ｎとする。負レンズの材料の屈折率温度係数(10-6/℃)をｄｎ（ｎ−１）ｎ／ｄＴとする。第（ｎ−１）レンズ群Ｌ（Ｎ−１）に含まれる樹脂よりなる正レンズの焦点距離をｆ（ｎ−１）ｐ、正レンズの材料の屈折率温度係数(10-6/℃)をｄｎ（ｎ−１）ｐ／ｄＴとする。
【００３９】
このとき、次の条件式のうち１つ以上を満足するのが良い。
−５．０＜ｆ（ｎ−１）／ｆｗ＜−１．０                  ・・・（４）
−１．０＜ｆ（ｎ−１）／ｆｎ＜−０．１                  ・・・（５）
−１０．０＜（１−β（ｎ−１）ｔ２）βｎｔ２＜−１．５    ・・・（６）
１．０＜Ｄａｖｇ＜２．５                                ・・・（７）
３．０＜ｆｎ／ｓｋｗ＜３０．０                          ・・・（８）
２．０＜ｆ１／ｆｗ＜８．０                              ・・・（９）
−４．０＜ＰＯｗ／ｆｗ＜−１．０                        ・・・（１０）
−５０．０＜（１／ｆ（ｎ−１）ｎ×ｄｎ（ｎ−１）ｎ／ｄＴ）／（１／ｆ（ｎ−１）ｐ×ｄｎ（ｎ−１）ｐ／ｄＴ）＜−１．０                      ・・・（１１）
【００４０】
次に前述の各条件式の技術的意味について説明する。条件式（４）は高いフォーカス性能の確保とフォーカスレンズ群の小型化を図るためのものである。条件式（４）はフォーカスレンズ群である第（Ｎ−１）レンズ群Ｌ（Ｎ−１）の焦点距離ｆ（ｎ−１）と、広角端における全系の焦点距離ｆｗを規定している。
【００４１】
条件式（４）の上限を超えて、焦点距離ｆ（ｎ−１）が長くなると、フォーカス敏感度を十分に上げることが難しくなり、フォーカスに際する移動量が増え、メカ構成が大型化する。或いは、焦点距離ｆｗが短くなると、前玉有効径が大きくなってくる。条件式（４）の下限を超えて、焦点距離ｆ（ｎ−１）短くなると、フォーカスレンズ群の屈折力が強くなりすぎ、近距離における光学性能を良好に確保することが困難となる。或いは、焦点距離ｆｗが長くなると、広画角で高ズーム比のズームレンズを得ることが難しくなる。
【００４２】
条件式（５）は高いフォーカス性能を実現するために、フォーカスレンズ群である第（Ｎ−１）レンズ群Ｌ（Ｎ−１）の焦点距離ｆ（ｎ−１）と、第Ｎレンズ群ＬＮの焦点距離ｆｎの焦点距離の比を規定している。条件式（５）の上限を超えて、焦点距離ｆ（ｎ−１）が長くなると、フォーカス敏感度が低くなり、近距離撮影に対するフォーカスレンズ群の移動量が増え、近距離撮影時の光学性能が低下してくる。
【００４３】
また、第（Ｎ−１）レンズ群Ｌ（Ｎ−１）の移動量が長くなるため、メカ構成が大型化して、鏡筒の小型化が困難になる。或いは、焦点距離ｆｎが短くなると、第（Ｎ−１）レンズ群Ｌ（Ｎ−１）のフォーカス敏感度が高くなりすぎ、第（Ｎ−１）レンズ群Ｌ（Ｎ−１）の制御が困難となる。
【００４４】
条件式（５）の下限を超えて、焦点距離ｆ（ｎ−１）が短くなると、第（Ｎ−１）レンズ群Ｌ（Ｎ−１）の負の屈折力が強くなりすぎて（負の屈折力の絶対値が大きくなりすぎて）、近距離の光学性能を良好に維持することが困難となる。また、光線を像面付近で大きく蹴り上げることになり、像面湾曲や倍率色収差の補正が困難となる。或いは、焦点距離ｆｎが長くなると、第（Ｎ−１）レンズ群Ｌ（Ｎ−１）で蹴り上げた光線を十分に屈折することが困難となり、シェーディングが多く発生してくる。
【００４５】
条件式（６）は望遠端において高いフォーカス性能を得るために、フォーカスレンズ群である第（Ｎ−１）レンズ群Ｌ（Ｎ−１）の望遠端における横倍率β（ｎ−１）ｔと、望遠端における最終の第Ｎレンズ群ＬＮの横倍率βｎｔを規定している。条件式（６）は望遠端におけるフォーカス敏感度に関する。
【００４６】
条件式（６）の上限を超えて、フォーカス敏感度が高くなると、第（Ｎ−１）レンズ群Ｌ（Ｎ−１）を精度良く制御することが困難となる。また、第（Ｎ−１）レンズ群Ｌ（Ｎ−１）の屈折力が高まり、近距離の撮影時に良好な光学性能を得ることが困難となる。条件式（６）の下限を超えて、フォーカス敏感度が小さくなると、フォーカシングにおけるレンズ群の移動量が増え、全系の小型化が困難になる。
【００４７】
条件式（７）はフォーカス用の第（Ｎ−１）レンズ群Ｌ（Ｎ−１）の軽量化を実現するために、第（Ｎ−１）レンズ群Ｌ（Ｎ−１）を構成する全てのレンズの比重の平均値Ｄａｖｇを規定している。条件式（７）の上限を超えて、平均比重Ｄａｖｇが大きくなると、第（Ｎ−１）レンズ群Ｌ（Ｎ−１）のレンズ質量が増加し、第（Ｎ−１）レンズ群Ｌ（Ｎ−１）を駆動制御するユニットが大型化し、軽量化が困難になる。条件式（７）の下限を超えて平均比重Ｄａｖｇが小さくなるような樹脂・ガラス材料は現在のところ存在しない。
【００４８】
条件式（８）は広角端における周辺光線のシェーディングの抑制とレンズ全長の短縮化を図るためのものである。条件式（８）は最終レンズ群である第Ｎレンズ群ＬＮの焦点距離ｆｎと、広角端におけるバックフォーカスｓｋｗを規定している。条件式（８）の上限を超えて、焦点距離ｆｎが長くなると、第Ｎレンズ群ＬＮの屈折力が弱まり、撮像面への周辺光線の入射角度が大きくなり、シェーディングが多く発生してくる。また、第Ｎレンズ群ＬＮの焦点距離が長くなるために、第（Ｎ−１）レンズ群Ｌ（Ｎ−１）のフォーカス敏感度を高くすることが難しくなるため、レンズ全長の短縮化が困難になる。
【００４９】
或いは、バックフォーカスｓｋｗが短くなると、撮像素子の保護ガラスや各種フィルターを挿入する空間が少なくなるため良くない。
【００５０】
条件式（８）の下限を超えて、焦点距離ｆｎが短くなると、第Ｎレンズ群ＬＮの屈折力が強くなりすぎ、像面湾曲などの周辺像高への収差が増加する。また、隣接する第（Ｎ−１）レンズ群Ｌ（Ｎ−１）のフォーカス敏感度が高くなり、フォーカス制御を高精度に行うのが困難になる。或いは、バックフォーカスｓｋｗが長くなると、バックフォーカスが不必要に長くなり、広角端におけるレンズ全長が長くなってくる。
【００５１】
条件式（９）は高ズーム比を得るために、広角端における全系の焦点距離ｆｗと第１レンズ群Ｌ１の焦点距離ｆ１を規定している。条件式（９）の上限を超えて、第１レンズ群Ｌ１の焦点距離が長くなると、広角端での倍率色収差の補正、望遠端での軸上色収差の補正には容易となるが、ズーミング時の第１レンズ群Ｌ１の移動量が大きくなり、レンズ全長が増大してくる。
【００５２】
条件式（９）の下限値を超えて、第１レンズ群Ｌ１の焦点距離が短くなると、全系の小型化は容易となるが、少ないレンズ枚数で球面収差やコマ収差等を補正することが困難となる。更に、広角端における全系の焦点距離が長くなってしまい、所望のズーム比を確保することが困難となる。
【００５３】
条件式（１０）は高いテレセントリック性を確保するために、広角端における射出瞳位置までの距離ＰＯｗと広角端における全系の焦点距離ｆｗの関係を規定している。ここで射出瞳位置に関する距離ＰＯｗは、像面より物体側にある場合を負と定義する。条件式（１０）の上限を超えて距離ＰＯｗが長くなると、第Ｎレンズ群ＬＮの屈折力が強まり、像面湾曲を良好に抑制することが難しくなる。
【００５４】
条件式（１０）の下限を超えて、距離ＰＯｗが短くなると、周辺像高の光線の像面入射角度が大きくなりすぎ、シェーディングが多く発生してくる。或いは、広角端における全系の焦点距離ｆｗが長くなり、所望のズーム比を確保することが困難となる。
【００５５】
条件式（１１）は温度変動によって発生するピントずれや収差変動を第（Ｎ−１）レンズ群Ｌ（Ｎ−１）内の正の屈折力と負の屈折力の樹脂レンズで補正するため、両レンズの屈折力配分及び屈折率温度係数を規定している。
【００５６】
ここで、ｄｎ（ｎ−１）ｎ／ｄＴとｄｎ（ｎ−１）ｐ／ｄＴはそれぞれ第（Ｎ−１）レンズ群Ｌ（Ｎ−１）の負の屈折力と正の屈折力をもつ樹脂レンズの物性値である屈折率温度係数(10-6/℃)である。条件式（１１）の上限値を超えると、温度変動によるピントズレが像側へ大きくなってくる。条件式（１１）の下限値を超えると、温度変動によるピントズレが物体側へ大きくなってくる。
【００５７】
なお、各実施例において、好ましくは、条件式（４）乃至（１１）の数値範囲を次の如く設定すると良い。
−３．０＜ｆ（ｎ−１）／ｆｗ＜−１．０                  ・・・（４ａ）
−０．８＜ｆ（ｎ−１）／ｆｎ＜−０．１                  ・・・（５ａ）
−９．０＜（１−β（ｎ−１）ｔ２）βｎｔ２＜−１．６      ・・・（６ａ）
１．０＜Ｄａｖｇ＜１．６                                ・・・（７ａ）
３．５＜ｆｎ／ｓｋｗ＜２５．０                          ・・・（８ａ）
２．５＜ｆ１／ｆｗ＜７．０                              ・・・（９ａ）
−３．５＜ＰＯｗ／ｆｗ＜−１．２                        ・・・（１０ａ）
−１０．０＜（１／ｆ（ｎ−１）ｎ×ｄｎ（ｎ−１）ｎ／ｄＴ）／（１／ｆ（ｎ−１）ｐ×ｄｎ（ｎ−１）ｐ／ｄＴ）＜−１．５                      ・・・（１１ａ）
【００５８】
また、更に好ましくは、各実施例において、条件式（４ａ）乃至（１１ａ）の数値範囲を次の如く設定するのが良い。
−２．０＜ｆ（ｎ−１）／ｆｗ＜−１．３                  ・・・（４ｂ）
−０．６０＜ｆ（ｎ−１）／ｆｎ＜−０．１１              ・・・（５ｂ）
−８．０＜（１−β（ｎ−１）ｔ２）βｎｔ２＜−１．７      ・・・（６ｂ）
１．０＜Ｄａｖｇ＜１．３                                ・・・（７ｂ）
４．５＜ｆｎ／ｓｋｗ＜２２．０                          ・・・（８ｂ）
３．０＜ｆ１／ｆｗ＜６．０                              ・・・（９ｂ）
−３．０＜ＰＯｗ／ｆｗ＜−１．５                        ・・・（１０ｂ）
−５．０＜（１／ｆ（ｎ−１）ｎ×ｄｎ（ｎ−１）ｎ／ｄＴ）／（１／ｆ（ｎ−１）ｐ×ｄｎ（ｎ−１）ｐ／ｄＴ）＜−２．０                        ・・・（１１ｂ）
【００５９】
次に各実施例において好ましい構成について説明する。フォーカスレンズ群である第（Ｎ−１）レンズ群Ｌ（Ｎ−１）はフォーカシングスピードを速くするためにもできるだけ軽量化することが求められる。そのため、第（Ｎ−１）レンズ群Ｌ（Ｎ−１）は２枚以下のレンズ、または１枚の単レンズで構成することが好ましい。また第（Ｎ−１）レンズ群Ｌ（Ｎ−１）に含まれる樹脂レンズは温度変動によるピント・収差の変動を軽減するために正の樹脂レンズと負の樹脂レンズを１枚ずつ使用し、第（Ｎ−１）レンズ群Ｌ（Ｎ−１）内で温度変化による収差変動を軽減することが望ましい。
【００６０】
また、第Ｎレンズ群ＬＮは、第（Ｎ−１）レンズ群Ｌ（Ｎ−１）の負の屈折力の樹脂レンズにより発生する温度変化に伴う収差の変化を緩和するために、正の屈折力の樹脂レンズを使用することが望ましい。また、全系を小型化しつつ広画角で高ズーム比化を達成するためには、第１レンズ群Ｌ１のレンズ枚数が少ないほど第１レンズ群Ｌ１を通る軸外光束の入射高さが低くでき、第１レンズ群Ｌ１の有効径を小型化できる。そのため、第１レンズ群Ｌ１のレンズ枚数は４枚以下の構成とするのが良い。
【００６１】
また、第２レンズ群は広画角化を容易にするために、物体側より像側へ順に配置された２枚の負レンズと、１枚以上の正レンズを有することが好ましい。正の屈折力のレンズを配置することで、光束を収斂させ、後群のレンズ群の有効径を小型化することが容易となる。また、第２レンズ群を負の屈折力とし、負レンズ先行のレンズ構成にすることで広画角化が容易となる。
【００６２】
また、第３レンズ群Ｌ３中に非球面を導入し、第３レンズ群Ｌ３以降のレンズと第２レンズ群Ｌ２の屈折力を適切に設定するのが良く、これによれば軸外諸収差、特に非点収差・歪曲収差の補正が容易になる。また広画角化及び高ズーム比化した際の球面収差、コマ収差の補正が容易になる。
【００６３】
各実施例では以上の様に各要素を構成することで、レンズ全長の短縮化とレンズ径が小さく、レンズ質量が軽量で高いフォーカス性能を有するズームレンズを得ている。
【００６４】
次に各実施例のレンズ構成について説明する。実施例１はズーム比７．７、開口比（Ｆナンバー）３．７〜６．３程度のズームレンズである。実施例１のズームレンズは物体側から像側へ順に配置された、正、負、正、負、正、負、正の屈折力の第１レンズ群Ｌ１乃至第７レンズ群Ｌ７からなる７群ズームレンズである。第６レンズ群Ｌ６が第（Ｎ−１）レンズ群Ｌ（Ｎ−１）に相当し、第７レンズ群Ｌ７が第Ｎレンズ群ＬＮに相当する。
【００６５】
広角端から望遠端へのズーミングに際して、第１レンズ群Ｌ１が物体側に直線的に移動する。第２レンズ群Ｌ２が像側に凸状の軌跡で移動する。開口絞りＳＰと第３レンズ群Ｌ３と第５レンズ群Ｌ５が一体（同じ軌跡）で物体側に移動する。第４レンズ群Ｌ４、第５レンズ群Ｌ５、第６レンズ群Ｌ６がそれぞれ互いに異なる軌跡を描いて物体側に移動する。フォーカシングに際して第６レンズ群Ｌ６が移動する。第６レンズ群Ｌ６を構成している２枚のレンズはそれぞれ樹脂よりなるレンズ（樹脂レンズ）である。
【００６６】
実施例２はズーム比７．７、開口比３．６〜６．３程度のズームレンズである。実施例２においてレンズ群の数、各レンズ群の屈折力の符号、ズーミングに伴う各レンズ群の移動条件等のズームタイプは実施例１と同じである。フォーカシングに際して第６レンズ群が移動する。第６レンズ群Ｌ６を構成している２枚のレンズはそれぞれ樹脂レンズである。また第７レンズ群Ｌ７を構成している１枚の正レンズは樹脂レンズである。
【００６７】
実施例３はズーム比４．３、開口比３．３〜５．６程度のズームレンズである。実施例３のズームレンズは物体側から像側へ順に配置された、正、負、正、正、負、正の屈折力の第１レンズ群Ｌ１乃至第６レンズ群Ｌ６からなる６群ズームレンズである。第５レンズ群Ｌ５が第（Ｎ−１）レンズ群Ｌ（Ｎ−１）に相当し、第６レンズ群Ｌ６が第Ｎレンズ群ＬＮに相当する。
【００６８】
広角端から望遠端へのズーミングに際して、第１レンズ群が物体側に移動する。第２レンズ群Ｌ２が像側に凸状の軌跡で移動する。第３レンズ群Ｌ３乃至第５レンズ群Ｌ５がそれぞれ互いに異なる軌跡を描いて物体側に移動する。開口絞りＳＰは第３レンズ群Ｌ３と一体で移動する。第６レンズ群Ｌ６はズーミングに際して不動である。フォーカシングに際して第５レンズ群Ｌ５が移動する第５レンズ群Ｌ５を構成している２枚のレンズは樹脂レンズである。また、第６レンズ群Ｌ６を構成している１枚の正レンズは樹脂レンズである。
【００６９】
実施例４はズーム比７．７、開口比３．９〜６．３程度のズームレンズである。実施例４においてズームタイプは実施例１と同じである。フォーカシングに際して第６レンズ群Ｌ６が移動する。第６レンズ群Ｌ６を構成している１枚のレンズは樹脂レンズである。
【００７０】
実施例５はズーム比２．５、開口比２．０〜５．０程度のズームレンズである。実施例５のズームレンズは、物体側から像側へ順に配置された、正、負、正、正、負、正の屈折力の第１レンズ群Ｌ１乃至第６レンズ群Ｌ６からなる６群ズームレンズである。第５レンズ群Ｌ５が第（Ｎ−１）レンズ群Ｌ（Ｎ−１）に相当し、第６レンズ群Ｌ６が第Ｎレンズ群（ＬＮ）に相当する。
【００７１】
広角端から望遠端へのズーミングに際して、第１レンズ群Ｌ１が物体側に直線的に移動する。第２レンズ群Ｌ２が像側へ移動する。第２レンズ群Ｌ２と第３レンズ群Ｌ３の間に配置される開口絞りＳＰは第２レンズ群Ｌ２および第３レンズ群Ｌ３とは異なる軌跡で物体側へ移動する。
【００７２】
第３レンズ群Ｌ３乃至第５レンズ群Ｌ５がそれぞれ互いに異なる軌跡を描いて物体側へ移動する。第６レンズ群Ｌ６が像側へ移動する。第５レンズ群Ｌ５でフォーカシングを行っている。第５レンズ群Ｌ５を構成している１枚のレンズは樹脂レンズである。また、第６レンズ群Ｌ６を構成している１枚のレンズは樹脂レンズである。
【００７３】
次に本発明のズームレンズを撮像光学系として用いたデジタルスチルカメラ（撮像装置）の実施例に関して図１１を用いて説明する。図１１において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００７４】
以下、実施例１乃至５に対応する数値データを示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０を各々非球面係数としたとき、
【００７５】
【数１】
2019028258.tif 000003
【００７６】
なる式で表している。＊は非球面形状を有する面を意味している。「ｅ−ｘ」は１０−ｘを意味している。数値データにおいて最後の２つの面は、フィルター、フェースプレート等の光学ブロックの面である。
【００７７】
数値データ５において間隔ｄ１０の値がマイナスとなっているのは物体側から像側へ順に開口絞りＳＰ、第３レンズ群Ｌ３の順に数えたためである。
【００７８】
ＢＦは空気換算のバックフォーカスである。レンズ全長は第１レンズ面から最終レンズ面までの距離にバックフォーカスＢＦの値を加えた値である。また、前述の各条件式と実施例との関係を表１に示す。 
【００７９】
［数値データ１］
単位 mm
面データ
面番号       r        d      nd         νd  屈折率温度係数(10-6/℃)  比重
1         64.427    0.80   1.90366    31.3           
2         37.122    5.47   1.49700    81.5           
3        439.731    0.15                             
4         39.954    4.45   1.60311    60.6           
5        341.416  (可変)                             
6*        35.794    0.90   1.81600    46.6           
7          9.923    4.83                             
8        -27.878    0.70   1.81600    46.6           
9         33.108    0.15                             
10         21.658    2.70   1.80810    22.8           
11        -29.294    0.61                             
12        -17.917    0.65   1.83481    42.7           
13        -99.048  (可変)                             
14(絞り)    ∞       0.40                             
15         14.586    2.43   1.56384    60.7           
16         60.189    2.10                             
17         11.096    0.90   2.00100    29.1           
18          7.785    3.09   1.49700    81.5           
19        481.328  (可変)                             
20        -22.886    1.69   1.90366    31.3           
21        -11.062    0.50   1.69680    55.5           
22      -2906.732  (可変)                             
23        131.892    1.49   1.58913    61.1           
24        -22.002    0.80   1.84666    23.8           
25       -206.434    0.76                             
26         11.858    2.93   1.58313    59.4           
27*        62.032  (可変)                             
28        -58.476    2.00   1.63550    23.9 樹脂レンズ      -115   1.24
29        -30.744    0.30                             
30        -68.647    1.00   1.53160    55.8 樹脂レンズ      -98    1.01
31         16.058  (可変)                             
32        -28.287    0.75   1.71300    53.9           
33        -50.275    0.15                             
34         38.419    2.79   1.59522    67.7           
35       -232.803  (可変)                             
36          ∞       1.00   1.54400    60.0           
37          ∞       0.85                             
像面        ∞   
【００８０】
非球面データ
第6面
K = 0.00000e+000  A 4= 6.80977e-007  A 6=-6.26001e-008  A 8= 2.60219e-010  A10=-7.36028e-013  
第27面
K = 0.00000e+000  A 4= 2.14752e-004  
各種データ
ズーム比     7.70 
広角     中間     望遠
焦点距離      17.00    45.29   130.97  
Fナンバー      3.71     5.63     6.30  
半画角（度）  38.78    16.78     5.95  
像高          13.66    13.66    13.66  
レンズ全長    88.79   109.43   136.79  
BF(in Air)     9.50    32.69    41.15  
射出瞳位置    
の距離 -46.37   -62.19    -74.81
d 5            0.65    11.41    33.86  
d13           15.79     5.40     0.80  
d19            1.53     2.86     3.86  
d22            2.68     1.34     0.35  
d27            2.35     4.29     1.69  
d31           10.81     5.96     9.59  
d35            8.00    31.19    39.65  
ズームレンズ群データ
群  始面    焦点距離  
1    1      65.78  
2    6     -10.60  
3   14      18.30  
4   20     -50.31  
5   23      26.64  
6   28     -32.11  
7   32     135.32  
8   36       ∞    
【００８１】
［数値データ２］
単位 mm
面データ
面番号       r        d      nd         νd       屈折率温度係数(10-6/℃)  比重
1         69.509    0.80   1.90366    31.3           
2         42.094    5.61   1.49700    81.5           
3       1251.154    0.15                             
4         41.681    3.88   1.59522    67.7           
5        211.917  (可変)                             
6*        38.608    0.90   1.81600    46.6           
7         10.436    5.34                             
8        -36.189    0.70   1.81600    46.6           
9         31.633    0.15                             
10         22.114    3.13   1.80810    22.8           
11        -38.243    0.69                             
12        -21.213    0.65   1.83481    42.7           
13        -95.938  (可変)                             
14(絞り)    ∞       0.40                             
15         15.284    2.50   1.56384    60.7           
16         69.825    2.11                             
17         11.825    0.90   2.00100    29.1           
18          8.236    2.98   1.49700    81.5           
19         98.067  (可変)                             
20        -21.158    1.69   1.90366    31.3           
21        -11.361    0.50   1.69680    55.5           
22        -75.565  (可変)                             
23        253.330    1.83   1.58913    61.1           
24        -24.588    0.80   1.84666    23.8           
25       -311.712    0.76                             
26         12.926    2.93   1.58313    59.4           
27*        63.858  (可変)                             
28        -49.211    2.00   1.63550    23.9 樹脂レンズ -115   1.24  
29        -29.869    0.30                             
30        -32.796    1.00   1.53160    55.8 樹脂レンズ -98    1.01
31         20.964  (可変)                             
32         34.715    2.58   1.53160    55.8 樹脂レンズ -98    1.01
33        233.039  (可変)                             
34          ∞       1.00   1.54400    60.0           
35          ∞       0.97                             
像面        ∞   
【００８２】
非球面データ
第6面
K = 0.00000e+000  A 4= 2.77301e-006  A 6=-6.57556e-008  A 8= 2.63256e-010  A10=-8.10597e-013  
第27面
K = 0.00000e+000  A 4= 1.52985e-004  
各種データ
ズーム比     7.70 
広角     中間     望遠
焦点距離      17.00    48.75   130.97  
Fナンバー      3.59     6.05     6.30  
半画角（度）  38.78    15.65     5.95  
像高          13.66    13.66    13.66  
レンズ全長    93.09   114.59   143.09  
BF            11.62    39.19    46.30  
射出瞳位置    
の距離 -47.07   -66.48    -80.66
d 5            0.64    10.26    34.94  
d13           17.85     5.07     0.74  
d19            1.72     3.96     6.12  
d22            4.82     2.58     0.43  
d27            4.70     5.90     2.17  
d31            6.46     2.34     7.11  
d33           10.00    37.57    44.68  
ズームレンズ群データ
群  始面    焦点距離  
1    1      69.56  
2    6     -11.78  
3   14      20.37  
4   20     -70.55  
5   23      31.81  
6   28     -29.81  
7   32      76.39  
8   34       ∞    
【００８３】
［数値データ３］
単位 mm
面データ
面番号       r        d      nd         νd       屈折率温度係数(10-6/℃)  比重
1         37.869    1.60   1.95375    32.3           
2         30.765    6.26   1.49700    81.5           
3       1207.216  (可変)                             
4         28.481    1.10   1.95375    32.3           
5         11.436    5.71                             
6        -56.478    0.80   1.77250    49.6           
7         38.511    0.15                             
8         21.177    4.51   1.92286    18.9           
9        186.013    2.00                             
10        -20.084    1.00   1.77250    49.6           
11        -39.929  (可変)                             
12(絞り)    ∞       1.99                             
13*        15.036    4.12   1.58313    59.4           
14*       -57.380    3.77                             
15         24.075    0.74   1.83481    42.7           
16         15.375    1.81                             
17       -145.877    0.60   1.90366    31.3           
18         11.838    3.43   1.69680    55.5           
19        -29.626  (可変)                             
20         19.861    3.27   1.58144    40.8           
21        -18.647    0.80   2.00069    25.5           
22        -29.140  (可変)                             
23        -51.359    2.50   1.63278    23.3 樹脂レンズ -124   1.26           
24        -21.106    0.10                             
25        -22.448    0.80   1.53160    55.8 樹脂レンズ -98    1.01
26         15.788  (可変)                             
27*       -29.970    2.50   1.76200    40.1
28        -25.948    8.00                             
29          ∞       1.00   1.54400    60.0           
30          ∞       0.80                             
像面        ∞   
非球面データ
第13面
K = 0.00000e+000  A 4=-3.50649e-005  A 6=-3.02241e-007  A 8= 5.41022e-009  A10=-9.66552e-011  
第14面
K = 0.00000e+000  A 4= 1.86687e-005  A 6=-2.58825e-007  A 8= 3.95584e-009  A10=-8.29198e-011  
第27面
K = 0.00000e+000  A 4=-7.82342e-007  A 6=-1.68373e-008  A 8= 8.00965e-011  
各種データ
ズーム比     4.34 
広角     中間     望遠
焦点距離      18.45    46.95    80.00  
Fナンバー      3.25     4.48     5.60  
半画角（度）  36.52    16.22     9.69  
像高          13.66    13.66    13.66  
レンズ全長    98.76   113.68   139.63  
BF             9.45     9.45     9.45  
射出瞳位置    
の距離 -50.72   -74.15    -105.67
d 3            0.70    14.86    28.88  
d11           21.49     5.08     2.83  
d19            0.20     2.71     3.13  
d22            1.70     5.06     3.86  
d26           15.68    26.97    41.92  
ズームレンズ群データ
群  始面    焦点距離  
1    1      97.46  
2    4     -14.61  
3   12      29.17  
4   20      24.81  
5   23     -24.87  
6   27     200.00  
7   29       ∞    
【００８４】
［数値データ４］
単位 mm
面データ
面番号       r        d      nd         νd       屈折率温度係数(10-6/℃)  比重
1         66.126    0.80   1.90366    31.3           
2         37.944    5.89   1.49700    81.5           
3        567.819    0.15                             
4         38.780    4.96   1.60311    60.6           
5        245.175  (可変)                             
6*        46.716    0.90   1.81600    46.6           
7          9.767    4.76                             
8        -32.494    0.70   1.81600    46.6           
9         34.504    0.15                             
10         21.172    2.69   1.80810    22.8           
11        -31.255    0.63                             
12        -18.395    0.65   1.83481    42.7           
13        -95.283  (可変)                             
14(絞り)    ∞       0.40                             
15         13.958    1.57   1.56384    60.7           
16         66.877    1.48                             
17         11.364    0.90   2.00100    29.1           
18          7.686    2.92   1.49700    81.5           
19        271.351  (可変)                             
20        -21.613    1.69   1.90366    31.3           
21        -10.338    0.50   1.69680    55.5           
22        973.291  (可変)                             
23        129.367    1.43   1.58913    61.1           
24        -24.214    0.80   1.84666    23.8           
25       -163.780    0.76                             
26         11.952    2.93   1.58313    59.4           
27*        61.581  (可変)                             
28      -1068.895    1.00   1.53160    55.8 樹脂レンズ      -98    1.01
29         17.353  (可変)                             
30        -29.094    0.75   1.71300    53.9           
31        -40.698    0.15                             
32         38.286    2.90   1.59522    67.7           
33       -617.555  (可変)                             
34          ∞       1.00   1.54400    60.0           
35          ∞       0.51                             
像面        ∞   
【００８５】
非球面データ
第6面
K = 0.00000e+000  A 4= 6.92889e-006  A 6=-5.96199e-008  A 8= 2.00995e-010  A10=-4.55158e-013  
第27面
K = 0.00000e+000  A 4= 2.05158e-004  
各種データ
ズーム比     7.70 
広角     中間     望遠
焦点距離      17.00    44.95   130.97  
Fナンバー      3.88     5.96     6.30  
半画角（度）  38.78    16.90     5.95  
像高          13.66    13.66    13.66  
レンズ全長    88.59   109.18   136.47  
BF            11.16    34.60    41.37  
射出瞳位置    
の距離 -49.50    -64.64   -77.41
d 5            0.64    11.22    35.03  
d13           15.63     5.11     0.79  
d19            2.36     3.58     4.72  
d22            2.71     1.49     0.35  
d27            3.19     5.12     1.36  
d29           10.43     5.59    10.39  
d33           10.00    33.44    40.21  
ズームレンズ群データ
群  始面    焦点距離  
1    1      66.05  
2    6     -10.60  
3   14      18.26  
4   20     -45.86  
5   23      25.48  
6   28     -32.11  
7   30     101.12  
8   34       ∞    
【００８６】
［数値データ５］
単位 mm
面データ
面番号       r        d      nd         νd       屈折率温度係数(10-6/℃)  比重
1         41.458    1.40   1.92286    18.9           
2         31.248    6.19   1.80400    46.6           
3        164.184  (可変)                             
4         97.034    0.85   1.88300    40.8           
5         16.050    6.02                             
6*       -97.165    1.00   1.59349    67.0           
7*        36.730    0.30                             
8         22.453    2.32   1.95906    17.5           
9         40.513  (可変)                             
10(絞り)    ∞     (可変)                             
11*        15.477    4.57   1.80400    46.6           
12*      -104.798    0.20                             
13         21.644    3.11   1.88300    40.8           
14        -72.621    0.63   2.00069    25.5           
15         11.251    3.00                             
16          ∞     (可変)                             
17        158.497    2.64   1.80400    46.6           
18        -22.100  (可変)                             
19        -21.069    1.20   1.53160    55.8 樹脂レンズ      -98    1.01           
20*       129.755  (可変)                             
21*       -54.610    4.00   1.53160    55.8 樹脂レンズ      -98    1.01
22*       -21.654  (可変)                             
23          ∞       1.00   1.54400    60.0           
24          ∞       0.81                             
像面        ∞   
【００８７】
非球面データ
第6面
K = 0.00000e+000  A 4=-1.95441e-005  A 6= 1.59027e-007  A 8=-3.20921e-010  
第7面
K = 0.00000e+000  A 4=-1.38870e-005  A 6= 1.82245e-007  A 8=-2.59333e-010  
第11面
K = 0.00000e+000  A 4=-2.57321e-005  A 6=-1.75185e-008  A 8=-2.57219e-010  
第12面
K = 0.00000e+000  A 4= 1.89940e-005  A 6= 6.63351e-010  
第20面
K = 0.00000e+000  A 4= 2.18513e-005  A 6= 4.50187e-008  A 8=-4.14204e-010  
第21面
K = 0.00000e+000  A 4=-7.61454e-006  A 6=-2.76692e-008  
第22面
K = 0.00000e+000  A 4= 6.13037e-006  A 6=-7.44418e-008  A 8= 8.81513e-011  
各種データ
ズーム比     2.48 
広角     中間     望遠
焦点距離      18.14    30.19    45.00  
Fナンバー      2.06     3.00     5.00  
半画角（度）  33.66    23.99    16.62  
像高          12.08    13.43    13.43  
レンズ全長    90.17    92.24    97.67  
BF            13.96     9.90     3.00  
射出瞳位置    
の距離 -57.14    -79.95   -166.39
d 3            0.80     7.49    15.14  
d 9           24.29    16.36     8.51  
d10            3.50    -0.13     2.69  
d16            4.98     7.09     8.86  
d18            2.21     3.42     4.26  
d20            3.00    10.68    17.78  
d22           12.50     8.44     1.54  
ズームレンズ群データ
群  始面    焦点距離  
1    1      71.37  
2    4     -20.09  
3   11      30.71  
4   17      24.28  
5   19     -34.00  
6   21      64.77  
7   23       ∞    
【００８８】
【表１】
2019028258.tif 000004
【符号の説明】
【００８９】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      ＬＭ  中間群
Ｌ（Ｎ−１）  第（Ｎ−１）レンズ群      ＬＮ  第Ｎレンズ群
【図１】
2019028258.tif 000005
【図２】
2019028258.tif 000006
【図３】
2019028258.tif 000007
【図４】
2019028258.tif 000008
【図５】
2019028258.tif 000009
【図６】
2019028258.tif 000010
【図７】
2019028258.tif 000011
【図８】
2019028258.tif 000012
【図９】
2019028258.tif 000013
【図１０】
2019028258.tif 000014
【図１１】
2019028258.tif 000015